(57)【特許請求の範囲】
【請求項１】
円筒状の光ファイバ巻取り面を有し回転して光ファイバを巻き取る巻取り軸と、前記巻取り軸を回転可能に収納するケースとからなり、前記巻取り軸の片側端面はケースの上面部にあけた窓から露出するとともに光ファイバを収容可能なＳ字状溝を備えており、ケースの上面部の前記窓の周囲部分には前記Ｓ字状溝の両側の端部にそれぞれ連通可能な２つのスリットがそれぞれケースの上面部から側壁に及ぶように形成されて、前記２つのスリットと前記Ｓ字状溝の両側の端部とを連通させた状態でそれらに光ファイバを収容した後に前記巻取り軸を回転させた時、光ファイバにおける前記Ｓ字状溝に収容されていない部分が前記Ｓ字状溝に収容された部分とほぼ同じ平面内で巻き取られるようになっていることを特徴とする光ファイバ巻取り部材。
【請求項２】
前記光ファイバが光ファイバテープ心線であることを特徴とする請求項１記載の光ファイバ巻取り部材。
【請求項３】
巻取り軸の前記片側端面に、当該巻取り軸を回すドライバを係合させるための前記Ｓ字状溝に交差し且つ前記Ｓ字溝より浅いドライバ溝を形成したことを特徴とする請求項１又は２記載の光ファイバ巻取り部材。
【請求項４】
前記巻取り軸が大径部と中径部と小径部とからなる段付き円板状をなし、前記中径部の外周面を光ファイバ巻取り面としたことを特徴とする請求項１〜３のいずれか１項に記載の光ファイバ巻取り部材。
【請求項５】
前記大径部の外周面に円周方向に間隔をあけて複数の切欠きを形成し、ケース側に前記切欠きに係脱可能なラッチ爪を設け、このラッチ爪は、前記巻取り軸が一方向に回転する時その回転を拘束せず、他方向に回転する時前記切欠きに係合して巻き戻りを禁止することを特徴とする請求項４記載の光ファイバ巻取り部材。
【請求項６】
前記ケースをベースとカバーとで構成するとともに、前記カバーに前記窓を形成しかつ前記スリットをカバーの上面部から側壁に及ぶように形成したことを特徴とする請求項１〜５のいずれか１項に記載の光ファイバ巻取り部材。
【請求項７】
前記ケースをベースとカバーとで構成するとともに、前記ベースと一体に、基端部がベースと一体で撓み変形可能なアーム部を形成し、このアームに前記ラッチ爪を形成したことを特徴とする請求項５記載の光ファイバ巻取り部材。
【請求項８】
両端に光コネクタが取り付けられている光ファイバが巻き取られていることを特徴とする請求項１〜７のいずれか１項に記載の光ファイバ巻取り部材。
【発明の詳細な説明】
【技術分野】
【０００１】
この発明は、光ファイバ収納箱、光クロージャ、配線基板上等において、光ファイバの余長を巻き取る光ファイバ巻取り部材に関する。
【背景技術】
【０００２】
光配線に際しては接続作業等のために一般に光ファイバに余長を設けるが、その余長処理手段として、光ファイバの余長を巻き取る巻取り部材を用いることが行われている。
例えば、図１２に分解斜視図で示した特許文献１（特開２００４−３１７６００）の光ファイバリール１は、片側面にＳ字状の溝２を形成した円板状の巻取り部３を同じく円板状の上板４と下板５とで挟み込んだ構造であり、光ファイバ６の中間部を前記Ｓ字状の溝２に収容した状態で光ファイバリール１全体を回転させると、光ファイバが前記円板状の巻取り部の外周面に巻き取られていくというものである。
【０００３】
図１３に示した特許文献２（特開２００３−３２９８５１）の光ファイバ収納具７は、間隔をあけた互いに平行な２本のシャフト部８（２つのシャフト部８が巻取り軸９を構成する）の一方の端面に円板状のベースプレート１０、他方の端面に半円形の２つのベースプレート１１、１１を固定して両ベースプレート１１間にスリット１２を形成した構造であり、前記スリット１１から光ファイバ６を２つのシャフト部８間に挿入して、光ファイバ収納具７全体を回転させると、光ファイバ６が２つのシャフト部８の外側をめぐるように巻き取られるというものである。
【０００４】
図１４に示した特許文献３（特表平１０−５０５８１４）は、ワイヤやケーブル等の巻取りリールであるが、この巻取りリール１３は、側面挿入方式の巻取りリールであり、回転可能な有底円筒状の一対の部材１４、１５を向かい合わせたハウジング１７の中心部に巻取り軸１６を備えるとともに、ケーブルを挿入するための連通空間を、両部材１４、１５に設けたスリット１４ａ、１５ａで形成する構造である。図１４（イ）のように両スリット１４ａ、１５ａを一致させてそのスリット１４ａ、１５ａからケーブルの中間部をハウジング１７内に挿入し、両部材１４、１５を相対的に回転させると、ケーブルがハウジング１７内の巻取り軸１６に巻き取られてゆくというものである。
【特許文献１】特開２００４−３１７６００
【特許文献２】特開２００３−３２９８５１
【特許文献３】特表平１０−５０５８１４
【発明の開示】
【発明が解決しようとする課題】
【０００５】
上記図１２のものは、光ファイバリール１として全体を組み立てた後には光ファイバを溝２に収容できないので、組み立ての際に光ファイバを挿入しておかなければならず、使い勝手が悪い。また、全体が可動部（回転する部分に対する静止部材がない）であるから、そのままでは、光ファイバが巻き付けられている状態（巻き状態）を固定することができない。また、光ファイバを巻き取るために全体を回転させる必要があるが、全体を回転させて巻き取る巻取り操作は必ずしも容易であるとは言えない。
【０００６】
上記図１３のものも、図１２のものと同様に全体が可動部なので、光ファイバが巻き付けられている状態を固定することができず、また、全体を回転させる巻取り操作は必ずしも容易であるとは言えない。
【０００７】
上記図１４の構造は、全体を回転させるものではないが、やはり、ワイヤやケーブル等が巻き付けられている状態を固定することができない。
【０００８】
本発明は上記従来の各巻取り部材の欠点を解消するためになされたもので、組み立てた後に光ファイバを挿入することが可能で使い勝手がよく、また、巻取り操作のために回転させる部分が静止部分と別になっていて巻き取り操作が容易であり、さらに、光ファイバが巻き付けられている状態を固定することができる光ファイバ巻取り部材を提供することを目的とする。
【課題を解決するための手段】
【０００９】
上記課題を解決する本発明の光ファイバ巻取り部材は、円筒状の光ファイバ巻取り面を有し回転して光ファイバを巻き取る巻取り軸と、前記巻取り軸を回転可能に収納するケースとからなり、前記巻取り軸の片側端面はケースの上面部にあけた窓から露出するとともに光ファイバを収容可能なＳ字状溝を備えており、ケースの上面部の前記窓の周囲部分には前記Ｓ字状溝の両側の端部にそれぞれ連通可能な２つのスリットがそれぞれケースの上面部から側壁に及ぶように形成されて、前記２つのスリットと前記Ｓ字状溝の両側の端部とを連通させた状態でそれらに光ファイバを収容した後に前記巻取り軸を回転させた時、光ファイバにおける前記Ｓ字状溝に収容されていない部分が前記Ｓ字状溝に収容された部分とほぼ同じ面内で巻き取られるようになっていることを特徴とする。
【００１０】
請求項２は、請求項１の光ファイバ巻取り部材において、光ファイバが光ファイバテープ心線であることを特徴とする。
【００１１】
請求項３は、請求項１又は２の光ファイバ巻取り部材において、巻取り軸の前記片側端面に、当該巻取り軸を回すドライバを係合させるための前記Ｓ字状溝に交差し且つ前記Ｓ字溝より浅いドライバ溝を形成したことを特徴とする。
【００１２】
請求項４は、請求項１〜３のいずれか１項の光ファイバ巻取り部材において、巻取り軸が大径部と中径部と小径部とからなる段付き円板状をなし、前記中径部の外周面を光ファイバ巻取り面としたことを特徴とする。
【００１３】
請求項５は、請求項４の光ファイバ巻取り部材において、大径部の外周面に円周方向に間隔をあけて複数の切欠きを形成し、ケース側に前記切欠きに係脱可能なラッチ爪を設け、このラッチ爪は、前記巻取り軸が一方向に回転する時その回転を拘束せず、他方向に回転する時前記切欠きに係合して巻き戻りを禁止することを特徴とする。
【００１４】
請求項６は、請求項１〜５のいずれか１項の光ファイバ巻取り部材において、ケースをベースとカバーとで構成するとともに、前記カバーに前記窓を形成しかつ前記スリットをカバーの上面部から側壁に及ぶように形成したことを特徴とする。
【００１５】
請求項７は、請求項５の光ファイバ巻取り部材において、ケースをベースとカバーとで構成するとともに、前記ベースと一体に、基端部がベースと一体で撓み変形可能なアーム部を形成し、このアームに前記ラッチ爪を形成したことを特徴とする。
【００１６】
請求項８は、請求項１〜７のいずれか１項の光ファイバ巻取り部材において、両端に光コネクタが取り付けられている光ファイバが巻き取られていることを特徴とする。
【発明の効果】
【００１７】
本発明において、巻取り軸を回転させて、上面に露出しているＳ字状溝とケースの上面部のスリットとを一致させ、その状態で光ファイバの中間部をＳ字状溝及びスリットに挿入することで、光ファイバをケース内部に収容することができる。次いで、巻取り軸を回転させると、光ファイバを巻取り軸に巻き取ることができる。
このように、光ファイバをケース内に収容するためのＳ字状溝がケース上面側に露出しているので、光ファイバ巻取り部材として組み立てた後に光ファイバを挿入することが可能であり、使い勝手がよい。
また、静止部分であるケースに対して巻取り軸のみを回転させて巻き取りを行なうことができるので、巻き取り操作が容易である。
また、静止部分であるケースに対して巻取り軸のみを回転させて巻き取りを行なうことができる構造であるから、例えば請求項５、７のように、光ファイバが巻き付けられている状態を固定可能な構造とすることが容易である。
【発明を実施するための最良の形態】
【００１８】
以下、本発明を実施した光ファイバ巻取り部材について、図面を参照して説明する。
【実施例１】
【００１９】
図１は本発明の一実施例の光ファイバ巻取り部材２１の斜視図、図２、図３は光ファイバ巻取り部材２１の外観を示す図、図４は光ファイバ巻取り部材２１のカバー２５の一部を切り欠いて示した正面図、図５は図４のＡ−Ａ断面図、図６は図５を分解して示した図である（但し、後述の巻取り軸２２は断面せずに図示）。
これらの図に示すように、この光ファイバ巻取り部材２１は、光ファイバを巻き取る巻取り軸２２と、前記巻取り軸２２を回転可能に収納するケース２３とからなっている。この実施例では、ケース２３はベース２４とカバー２５とで構成している。前記巻取り軸２２の片側端面Ａはカバー２５にあけた円形の窓２５ａから露出するとともに光ファイバを収容可能なＳ字状溝２２ａを備えている。また、カバー２５の窓２５ａの周囲部分には、前記Ｓ字状溝２２ａの両側の端部にそれぞれ連通可能なスリット２５ｂが形成されている。なお、カバー２５のスリット２５ｂは、上面だけでなく、側壁部にも及ぶように形成されている。
【００２０】
図７（イ）、（ロ）、（ハ）はベース２４の詳細を示す図、図８（イ）、（ロ）、（ハ）はカバー２５の詳細を示す図、図９は巻取り軸２２の詳細を示す図である。
これらの図も参照して、各部の詳細構造を説明すると、巻取り軸２２は大径部３１と中径部３２と小径部３３とからなる段付き円板状をなし、前記中径部３２の外周面を光ファイバ巻き取り面３２ａとしている。
また、中径部３２には、Ｓ字状溝２２ａへの導入部として半径方向外方ほど幅が広くなる形状でかつ片側壁面が中径部３２の巻き取り面３２ａに滑らかに連続するガイド溝３２ｂを形成している。Ｓ字状溝２２ａ及びガイド溝３２ｂは、大径部３１の上面に達するまでの深さを持つ。
大径部３１の外周面には、後述するラッチ爪３６ａが係脱可能な切欠き３１ａを円周方向に等間隔の図示例では８箇所に備えている。
巻取り軸２２の小径部３３の上端面には、巻取り軸２２を回すドライバを係合させるためのドライバ溝３３ａを設けている。このドライバ溝３３ａは中径部３２の上面に達する深さを持つ。ここで、ドライバとは市販品のドライバに限らず、溝３３ａに嵌合させて回転駆動可能な専用工具を含む。
【００２１】
ベース２４及びカバー２５は、概ね四角形の浅い箱状である。
ベース２４は、内面の中央部に巻取り軸２２に設けた軸穴２２ｂに嵌合する突起状の中心軸部２４ａを設けている。
ベース２４とカバー２５とは、カバー２５側の四隅部に設けた突起２５ｃがベース２４の四隅部に設けた穴２４ｂに嵌合して互いに固定される。この嵌合固定は圧入あるいは超音波溶着などで行うことができる。しかし、固定手段は限定されず、接着固定やねじ固定も可能である。
ベース２４の一辺部には、基端部がベースと一体で撓み変形可能なアーム部３６を形成し、このアーム部３６に前記巻取り軸２２の切欠き３１ａに係合するラッチ爪３６ａを形成している。
アーム部３６の基端部近傍は、撓み変形を容易にするために薄肉（薄肉部３６ｂ）としている。
【００２２】
上記の光ファイバ巻取り部材２１を組み立てる場合、ベース２４の内面の中心軸部２４ａに巻取り軸２２の底面の軸穴２２ｂを嵌合させ、その上からカバー２５を被せて巻取り軸２２の片側端面Ａが窓２５ａから露出するようにするとともに、カバー２５の四隅の突起２５ｃをベース２４側の四隅の穴２４ｂに例えば圧入あるいは超音波溶着等で嵌合固定する。
【００２３】
この光ファイバ巻取り部材２１で光ファイバの余長を巻き取る場合、まず、マイナスドライバを巻取り軸２２のドライバ溝３３ａに挿入し巻取り軸２２を回転させて、巻取り軸２２のＳ字状溝２２ａとカバー２５のスリット２５ｂとを図１や図２のように一致させる。その状態で図１０（イ）に示すように、光ファイバの中間部をＳ字状溝２２ａ及びスリット２５ｂに挿入することで、光ファイバをケース２３内に収容することができる。この状態を図１０（イ）に示す。但し、図１０ではカバー２５を省いて示している。また、図１０では巻取り軸２２の大径部３１の切欠き３１ａの図示を省略している。
図１０（イ）の状態からドライバで巻取り軸２２を時計回り方向（図１０（イ）の矢印方向）に回転させると、光ファイバ６は図１０（ロ）のように巻取り軸２２の中径部３２の外周面（巻き取り面３２ａ）にスムーズに沿うので、巻取り軸２２を適宜の回数だけ回転させると、図１０（ハ）のように、光ファイバ６の余長が巻取り軸２２の中径部３２の外周に巻き取られる。
この場合、ケース２３の上面部の窓２５ａの周囲部分にＳ字状溝２２ａの両側の端部にそれぞれ連通可能な２つのスリット２５ｂがそれぞれケース２３の上面部から側壁に及ぶように形成されているので、図１０（ハ）や図１からも明らかな通り、２つのスリット２５ｂとＳ字状溝２２ａの両側の端部とを連通させた状態でそれらに光ファイバ６を収容した後に巻取り軸２２を回転させた時、光ファイバ６におけるＳ字状溝２２ａに収容されていない部分がＳ字状溝２２ａに収容された部分とほぼ同じ面内で巻き取られる。
巻取り軸２２を時計回り方向（図１０の矢印方向）に回転させる場合、ラッチ爪３６ａは巻取り軸２２の回転を拘束しないが、反時計回り方向方向に回転しようとすると、ラッチ爪３６ａが切欠きに係合して巻き戻りを禁止する。したがって、光ファイバが巻き付けられている状態（光ファイバ巻き付け状態）を固定できる。
なお、巻き取り対象の光ファイバ６としては、例えば、ＵＶ樹脂被覆の外径０．２５ｍｍの単心光ファイバ素線、又は複数の素線をＵＶ樹脂でテープ化した光ファイバテープ心線等が想定されるが、実施例の図１では光ファイバテープ心線を巻き取るものとして示している。
【００２４】
上記のように、光ファイバ６をケース２３内に収容するためのＳ字状溝２２ａがケース２３上面側に露出しているので、光ファイバ巻取り部材として組み立てた後に光ファイバ６を挿入することが可能となっており、使い勝手がよい。
また、静止部分であるケース２３に対して巻取り軸２２のみを回転させて巻き取りを行なうことができるので、巻き取り操作が容易である。
また、静止部分であるケース２３に対して巻取り軸２２のみを回転させて巻き取りを行なうことができる構造であるから、実施例のようにベース２４の側面部に一体に設けたアーム部３６にラッチ爪３６ａを形成し、巻取り軸２２の大径部３１の外周に切欠き３１ａを設けるなどの機構を採用して、光ファイバが巻き付けられている状態を固定することができる。また、本発明の構成によれば、光ファイバ巻き付け状態固定手段として、実施例のように適切な機構を設けることが容易である。
【００２５】
本発明の光ファイバ巻取り部材２１は特にサイズは限定されないが、実施例の巻取り部材２１は、許容曲げ半径の小さな光ファイバを想定しており、例えばケース２３の縦横厚み寸法が３０ｍｍ×３０ｍｍ×７．５ｍｍ、巻き取り半径（巻取り軸２２の中径部３２の半径）が２０．５ｍｍ程度である。
【実施例２】
【００２６】
上述の説明では、巻取り部材に単に光ファイバを巻き取るものとして説明したが、両端に光コネクタが取り付けられている光ファイバを巻き取る場合にも適用できる。
【００２７】
本発明の巻取り部材の使用箇所は特に限定されないが、例えば光ファイバ収容箱や光クロージャ内に設ける場合に適用することができ、また光配線基板上に設ける場合に適用することができる。
【００２８】
また、実施例の巻取り部材２１は、単に置くだけの構造として示したが、光ファイバ収容箱や光クロージャの内部の適宜箇所に固定する構造、あるいは配線基板上に固定する構造とすることもできる。その固定手段は任意である。
【００２９】
また、実施例では単に１つの巻取り部材として設置する場合を示したが、積層配置することも可能である。例えば図１１のように、上段側の巻取り部材２１’の下面に突起４１、下段側の巻取り部材２１’の上面に前記突起４１が嵌合する穴（ないし溝）４２を設けて、複数の巻取り部材２１’を積層配置することができる。
【図面の簡単な説明】
【００３０】
【図１】本発明の一実施例の光ファイバ巻取り部材の斜視図である。
【図２】（イ）は上記光ファイバ巻取り部材の正面図、（ロ）は同右側面図、（ハ）は同左側面図である。
【図３】（イ）は上記光ファイバ巻取り部材の背面図、（ロ）は同平面図、（ハ）は同底面図である。
【図４】上記光ファイバ巻取り部材のカバーの一部を切り欠いて示した正面図である。
【図５】図４のＡ−Ａ断面図である。
【図６】図５の分解図である（但し、巻取り軸は断面せずに図示）。
【図７】上記光ファイバ巻取り部材におけるベースを示すもので、（イ）は正面図、（ロ）は（イ）の右側面図、（ハ）は（イ）のＢ−Ｂ断面図である。
【図８】上記光ファイバ巻取り部材におけるカバーを示すもので、（イ）は背面図、（ロ）は（イ）の平面図、（ハ）は（イ）のＣ−Ｃ断面図である。
【図９】上記光ファイバ巻取り部材における巻取り軸を示すもので、（イ）は正面図、（ロ）は（イ）の一部切り欠き底面図、（ハ）は（イ）の背面図である。
【図１０】（イ）〜（ハ）は上記の光ファイバ巻取り部材に光ファイバを巻き取る状況を巻取り軸の回転動作に沿って説明する図であり、カバーを外した状態で示している。
【図１１】本発明の巻取り部材を積層して用いる実施例を示す図である。
【図１２】従来の巻取り部材を示す斜視図である。
【図１３】他の従来の巻取り部材を示す斜視図である。
【図１４】さらに他の従来の巻取り部材を示すもので、（イ）は側面図、（ロ）は縦断面図である。
【符号の説明】
【００３１】
２１、２１’  光ファイバ巻取り部材
２２  巻取り軸
２２ａ  Ｓ字状溝
２２ｂ  軸穴
２３  ケース
２４  ベース
２４ａ  回転中心軸
２５  カバー
２５ａ  窓
２５ｂ  スリット
３１  大径部
３１ａ  切欠き
３２  中径部
３２ａ  光ファイバ巻き取り面（中径部の外周面）
３２ｂ  ガイド溝
３３  小径部
３３ａ  ドライバ溝
【図１】
0004785608.tif 000002
【図２】
0004785608.tif 000003
【図３】
0004785608.tif 000004
【図４】
0004785608.tif 000005
【図５】
0004785608.tif 000006
【図６】
0004785608.tif 000007
【図７】
0004785608.tif 000008
【図８】
0004785608.tif 000009
【図９】
0004785608.tif 000010
【図１０】
0004785608.tif 000011
【図１１】
0004785608.tif 000012
【図１２】
0004785608.tif 000013
【図１３】
0004785608.tif 000014
【図１４】
0004785608.tif 000015